(57)【特許請求の範囲】
【請求項１】
自動車の音響機器収納部と収納された音響機器との間隙に差し込み可能な板状差し込み部と、該板状差し込み部の一端側に設けられカーインテリア用品を保持するためのホルダー部とを有し、前記板状差し込み部と前記ホルダー部の本体部は一枚の短冊状ステンレス板にて構成されており、前記ホルダー部は前記短冊状ステンレス板を屈曲させて形成した縦断面Ｌの字型のうちの略垂直方向上方に向かって延在する部位に構成され、前記板状差し込み部は前記短冊状ステンレス板を屈曲させて形成した縦断面Ｌの字型のうちの略水平方向に延在する部位に構成されると共に、前記板状差し込み部の他端部付近は他端側に向かって徐々に肉薄に形成されていることを特徴とするカーインテリア用品固定具。
【請求項２】
前記ホルダー部および前記板状差し込み部には、前記カーインテリア用品のケーブルを配することができるスリットが長手方向に沿って形成されている請求項１に記載のカーインテリア用品固定具。
【請求項３】
前記ホルダー部および前記板状差し込み部は、弾性材料にて形成され、前記板状差し込み部には、湾曲部または屈曲部が設けられている請求項１または２に記載のカーインテリア用品固定具。
【請求項４】
前記ホルダー部および前記板状差し込み部の周囲は、樹脂製被覆体にて被覆されている請求項１ないし３のいずれかに記載のカーインテリア用品固定具。
【発明の詳細な説明】
【技術分野】
【０００１】
本発明は、カーナビゲーションのモニター等カーインテリア用品を自動車内で固定させることができるカーインテリア用品固定具に関する。
【背景技術】
【０００２】
従来より、カーナビゲーションのモニターや小型テレビなどの車載機器、多機能情報端末（例えば米国Ａｐｐｌｅ社のｉｐａｄ）、携帯電話機または飲料容器の配置具等、自動車内に配されるカーインテリア用品を固定する方法または固定具が種々提案されている。
【０００３】
カーナビゲーションのモニター等の配置場所としては、オーディオパネル付近、助手席前、ダッシュボードの上などがあるが、オーディオパネル付近以外の場所では視認性や操作性において難点があり交通安全上も問題がある。
【０００４】
ところで、ほとんどの輸入車などはＣＤプレーヤー等の音響機器とその音響機器を収納するための音響機器収納部との間に隙間が存在する。
【先行技術文献】
【特許文献】
【０００５】
【特許文献１】引用無し
【発明の概要】
【発明が解決しようとする課題】
【０００６】
本願発明者らは、上記隙間に着目して本発明を想起したものであり、すなわち、本発明の課題は、極めて簡素な構造でオーディオパネル前方付近の最適な位置にカーインテリア用品を配置することができるカーインテリア用品固定具を提供することにある。
【課題を解決するための手段】
【０００７】
上記課題を解決するものは、自動車の音響機器収納部と収納された音響機器との間隙に差し込み可能な板状差し込み部と、該板状差し込み部の一端側に設けられカーインテリア用品を保持するためのホルダー部とを有し、前記板状差し込み部と前記ホルダー部の本体部は一枚の短冊状ステンレス板にて構成されており、前記ホルダー部は前記短冊状ステンレス板を屈曲させて形成した縦断面Ｌの字型のうちの略垂直方向上方に向かって延在する部位に構成され、前記板状差し込み部は前記短冊状ステンレス板を屈曲させて形成した縦断面Ｌの字型のうちの略水平方向に延在する部位に構成されると共に、前記板状差し込み部の他端部付近は他端側に向かって徐々に肉薄に形成されていることを特徴とするカーインテリア用品固定具である。
【０００８】
前記ホルダー部および前記板状差し込み部には、前記カーインテリア用品のケーブルを配することができるスリットが長手方向に沿って形成されていることが好ましい。前記ホルダー部および前記板状差し込み部は、弾性材料にて形成され、前記板状差し込み部には、湾曲部または屈曲部が設けられていることが好ましい。前記ホルダー部および前記板状差し込み部の周囲は、樹脂製被覆体７１にて被覆されていることが好ましい。
【発明の効果】
【０００９】
請求項１に記載した発明によれば、極めて簡素な構造でオーディオパネル前方付近の最適な位置にカーインテリア用品を配置することができると共に、自動車の音響機器収納部と収納された音響機器との間隙により差し込み易いカーインテリア用品固定具となる。
請求項２に記載した発明によれば、上記請求項１の効果に加え、自動車の音響機器収納部と収納された音響機器との間隙において配線を良好に行うことができる。
請求項３に記載した発明によれば、上記請求項１または２の効果に加え、自動車の音響機器収納部や音響機器とより接触係合して、カーインテリア用品固定具の板状差し込み部がより強固に固定される。
請求項４に記載した発明によれば、上記請求項１ないし３の効果に加え、音響機器収納部を区画構成する自動車内装部（オーディオパネル）を傷つけることを防止できる。
【図面の簡単な説明】
【００１０】
【図１】本発明のカーインテリア用品固定具の一実施例の正面側斜視図である。
【図２】図１に示したカーインテリア用品固定具の背面図である。
【図３】図１に示したカーインテリア用品固定具の使用方法を説明するための斜視概略図である。
【図４】本発明のカーインテリア用品固定具の他の実施例の右側面図である。
【図５】本発明のカーインテリア用品固定具の他の実施例の右側面図である。
【図６】本発明のカーインテリア用品固定具の他の実施例の正面側斜視図である。
【図７】本発明のカーインテリア用品固定具の他の実施例の右側面図およびその取り付け状態を示す縦断面概略図である。
【図８】本発明のカーインテリア用品固定具の他の実施例の右側面図およびその取り付け状態を示す縦断面概略図である。
【図９】本発明のカーインテリア用品固定具の他の実施例の正面側斜視図およびその取り付け方法を説明するための斜視説明図である。
【図１０】本発明のカーインテリア用品固定具の他の実施例の正面側斜視図である。
【図１１】本発明のカーインテリア用品固定具の他の実施例の正面側斜視図である。
【図１２】本発明のカーインテリア用品固定具の他の実施例の右側面図である。
【図１３】本発明のカーインテリア用品固定具の他の実施例の右側面図である。
【発明を実施するための形態】
【００１１】
本発明では、自動車の音響機器収納部９０と収納された音響機器９１との間隙９２に板状差し込み部２を差し込むことで容易に取り付けることができ、ホルダー部４でカーインテリア用品９５を保持させることができるカーインテリア用品固定具１を実現した。
【実施例１】
【００１２】
本発明のカーインテリア用品固定具を図１ないし図３に示した一実施例を用いて説明する。
この実施例のカーインテリア用品固定具１は、自動車の音響機器収納部９０と収納された音響機器９１との間隙９２に差し込み可能な板状差し込み部２と、板状差し込み部２の一端３ａ側に設けられカーインテリア用品９５を保持するためのホルダー部４とを有している。以下、各構成について順次詳述する。
【００１３】
板状差し込み部２は、図３に示すように、自動車の音響機器収納部９０と収納された音響機器９１との間隙（音響機器９１の上方の間隙）９２に差し込まれる部位であり、短冊状のステンレス板を略９０度屈曲させ、縦断面Ｌの字型に形成された一方の片にて構成されている。
【００１４】
板状差し込み部２の他端部付近３ｂは他端側に向かって徐々に肉薄に形成されており、これにより、自動車の音響機器収納部９０と収納された音響機器９１との間隙９２が狭小な場合でも、こじ開けるように板状差し込み部２を押し込むことが可能となって、より差し込み易くなるよう構成されている。
【００１５】
ホルダー部４は、板状差し込み部２の一端３ａ側に設けられカーインテリア用品９５を保持するための部位であり、短冊状のステンレス板を略９０度屈曲させ、縦断面Ｌの字型に形成された他方の片にて構成されている。
【００１６】
このように、カーインテリア用品固定具１は、板状差し込み部２とホルダー部４が一枚の板状体にて構成され、ホルダー部４はこの板状体を屈曲させて形成されているため、極めて簡素な構造でカーインテリア用品を保持することができると共に、カーインテリア用品の配置場所として最適なオーディオパネル前方付近にカーインテリア用品を配置することができる。
【００１７】
より具体的には、ホルダー部４は、板状差し込み部２を自動車の音響機器収納部９０と収納された音響機器９１との間隙９２に差し込むと、略垂直方向に延在する部位であり、カーインテリア用品固定具１は、このホルダー部４とカーインテリア用品９５の一部が係合することによりカーインテリア用品９５を保持する。
【００１８】
この実施例においては、ホルダー部４とカーインテリア用品９５とを係合させる部位がコネクター５であり、ホルダー部４にはカーインテリア用品と連結させるためのコネクター５が着脱自在に取り付けられている。具体的には、コネクター５は、図１に示すように、板状ベース部５ａと、板状ベース部５ａの中央付近に形成された側面視Ｌ字型の係合部５ｂと、係合部５ｂの下方に設けられた押圧部５ｃとが樹脂材料にて一体成形されて構成されており、カーインテリア用品（図３ではナビゲーションシステムのモニター）９５を板状ベース部５ａの表面に沿って降下させると、カーインテリア用品９５の裏面側に設けられた係合部（図示しない）と係合部５ｂが係合し、さらに、押圧部５ｃがカーインテリア用品９５の裏面を押圧することにより、カーインテリア用品９５が略垂直方向に延在して保持されるよう構成されている。
【００１９】
また、ホルダー部４には、図２に示すように、水平方向に隣接して設けられ対となるコネクター取付孔６ａ，６ｂ，６ｃが３組、高さを異にして形成されており、コネクター５をホルダー部４に取り付ける際には、３組のコネクター取付孔６ａ，６ｂ，６ｃのいずれかを選択して螺子部材７にて取り付けることができる。これにより、カーインテリア用品９５の取り付け高を調整することができる。
【００２０】
なお、この実施例では、カーインテリア用品はナビゲーションシステムのモニターであるが、これに限定されるものではなく、小型テレビなど他の車載機器、多機能情報端末（例えば米アップル社のｉｐａｄ）、携帯電話機または飲料容器の配置具等、自動車内で使用されるカーインテリア用品であればどのようなものでもよい。また、この実施例では、コネクター５がホルダー部４と別部材にて構成されているが、コネクターがホルダー部に一体成形されたものも本発明の範疇に包含される。さらに、コネクターの形態はこの実施例に限定されるものではなく、カーインテリア用品の係合部と係合するものであればどのようなものでもよい。
【００２１】
つぎに、本発明のカーインテリア用品固定具の他の実施例を図面に示した順に説明する。
まず、図４に示したカーインテリア用品固定具１０について説明する。
カーインテリア用品固定具１０と前述したカーインテリア用品固定具１との基本的な相違は、ホルダー部とコネクターとがボールジョイントにより接続されている点であり他は同じである。カーインテリア用品固定具１と同一構成部分については同一符号を付し説明を省略する。
【００２２】
具体的には、コネクター５は背面側において連結部１１を介してボール１２と連結しており、このボール１２はボール把持部１３に回動可能に把持されている。このボール把持部１３は背面側に設けられた固定部１４を介してホルダー部５に固定されている。このボールジョイント構造により、カーインテリア用品固定具１０は、コネクター５に取り付けられたカーインテリア用品は向きを自在に調整できるよう構成されている。
【００２３】
さらに、図５に示したカーインテリア用品固定具２０について説明する。
図５に示したカーインテリア用品固定具２０と前述したカーインテリア用品固定具１との相違は、ホルダー部とコネクターとがヒンジにより接続されている点であり他は同じである。カーインテリア用品固定具１と同一構成部分については同一符号を付し説明を省略する。
【００２４】
具体的には、コネクター５は背面側において連結部２１を介して水平方向に沿って（左右方向に）回動可能とする第１ヒンジ２２と連結しており、さらに、第１ヒンジ２２の背面側（図５中右側）には、第１ヒンジ２２と連結された連結部２３を垂直方向に沿って（上下方向に）回動可能とする第２ヒンジ２４が設けられており、さらに、この第２ヒンジ２４は支持部２５によりホルダー部４に固定されている。そして、このような回動方向が交差する２重のヒンジ構造により、コネクター５に取り付けられたカーインテリア用品は向きを自在に調整できるよう構成されている。
【００２５】
さらに、図６に示したカーインテリア用品固定具３０について説明する。
図６に示したカーインテリア用品固定具３０と前述したカーインテリア用品固定具１との相違は、ホルダー部４および板状差し込み部２にカーインテリア用品のケーブル９６を配することができるスリット３１が長手方向に沿って形成されている点であり他は同じである。カーインテリア用品固定具１と同一構成部分については同一符号を付し説明を省略する。このようなスリット３１を設けることにより、自動車の音響機器収納部９０と収納された音響機器９１との間隙９２において配線を良好に行うことができる。
【００２６】
さらに、図７に示したカーインテリア用品固定具３５について説明する。
図７に示したカーインテリア用品固定具３５と前述したカーインテリア用品固定具１との相違は、ホルダー部４および板状差し込み部２を構成する板状体が弾性材料で形成され、板状差し込み部２に湾曲部３６や屈曲部３７が設けられている点であり他は同じである。カーインテリア用品固定具１と同一構成部分については同一符号を付し説明を省略する。このような湾曲部３６や屈曲部３７が板状差し込み部２に設けられることにより、自動車の音響機器収納部９０や音響機器９１とより接触係合して、カーインテリア用品固定具３５の板状差し込み部２がより強固に固定される。
【００２７】
さらに、図８に示したカーインテリア用品固定具４０について説明する。
図８に示したカーインテリア用品固定具４０と前述したカーインテリア用品固定具１との相違は、板状差し込み部２の両面にそれぞれ接着材４１ａ，４１ｂが貼着されている点であり他は同じである。カーインテリア用品固定具１と同一構成部分については同一符号を付し説明を省略する。板状差し込み部２にこのような接着材（両面接着材）４１ａ，４１ｂを設けることにより、自動車の音響機器収納部９０や音響機器９１に貼着して板状差し込み部２がより固定される。
【００２８】
さらに、図９に示したカーインテリア用品固定具４５について説明する。
図９に示したカーインテリア用品固定具４５と前述したカーインテリア用品固定具１との相違は、板状差し込み部２が音響機器９１への取付部４６を有している点であり他は同じである。カーインテリア用品固定具１と同一構成部分については同一符号を付し説明を省略する。板状差し込み部２がこのような取付部４６を有し、螺子部材４７を介して音響機器９１に固定することにより、確実にカーインテリア用品固定具４５が固定される。なお、この実施例の取付部４６は板状差し込み部２の一部を略９０度屈曲させて構成されていると共に取付孔４８を有し、音響機器９１の右上コーナー部９３に螺子孔９４を介して螺子部材４７にて取り付けられるように構成されている。
【００２９】
さらに、図１０に示したカーインテリア用品固定具５０について説明する。
図１０に示したカーインテリア用品固定具５０と前述したカーインテリア用品固定具１との相違は、板状差し込み部２が音響機器収納部９０を区画構成する自動車内装部への取付片５１を有している点であり他は同じである。カーインテリア用品固定具１と同一構成部分については同一符号を付し説明を省略する。板状差し込み部２がこのような取付片５１を有し、螺子部材５２を介して自動車内装部に固定することにより、確実にカーインテリア用品固定具５０を固定することができる。なお、この実施例の取付片５１は取付孔５３ａ，５３ｂを両側にそれぞれを有し螺子部材５２にて自動車内装部（オーティオパネル）に取り付けられるように構成されている。
【００３０】
さらに、図１１に示したカーインテリア用品固定具６０について説明する。
図１１に示したカーインテリア用品固定具６０と前述したカーインテリア用品固定具１との相違は、コネクター６１がホルダー部４に着脱自在に構成されている点であり他は同じである。カーインテリア用品固定具１と同一構成部分については同一符号を付し説明を省略する。
【００３１】
具体的には、この実施例のコネクター６１は、内部にホルダー部挿入空間６２を有する略四角筒状体に構成され、正面中央部には断面Ｌ字型の係合部６３が樹脂材料にて一体成形され構成されている。そして、コネクター６１を下降させてホルダー部４の周囲に装着した状態で螺子部材６４，６５により背面側から固定用螺子孔（図示しない）に固定することにより、適宜、カーインテリア用品によって異なる所望形態の係合部を備えたコネクターに取り替えて装着可能に構成されている。
【００３２】
さらに、図１２に示したカーインテリア用品固定具７０について説明する。
図１２に示したカーインテリア用品固定具７０と前述したカーインテリア用品固定具１との相違は、一枚のステンレス板を屈曲して構成した板状差し込み部２とホルダー部４の周囲が、係合部７２を備えた樹脂製被覆体７１にて被覆されている点であり他は同じである。カーインテリア用品固定具１と同一構成部分については同一符号を付し説明を省略する。このような樹脂製被覆体７１によりステンレス板を被覆することにより、音響機器収納部９０を区画構成する自動車内装部（オーディオパネル）を傷つけることが防止できる。
【００３３】
さらに、図１３に示したカーインテリア用品固定具８０について説明する。
図１３に示したカーインテリア用品固定具８０と前述したカーインテリア用品固定具７０との相違は、係合部８２を備えた樹脂製被覆体８１がホルダー部４にのみ被覆されている点であり他は同じである。カーインテリア用品固定具７０と同一構成部分については同一符号を付し説明を省略する。このような樹脂製被覆体８１によりステンレス板のホルダー部４を被覆することにより、音響機器収納部９０を区画構成する自動車内装部（オーディオパネル）を傷つけることが防止できる。
【符号の説明】
【００３４】
１ カーインテリア用品固定具
２ 板状差し込み部
３ａ 板状差し込み部の一端
３ｂ 板状差し込み部の他端
４ ホルダー部
５ コネクター
６ コネクター取付孔
７ 螺子部材
【図１】
0005304737.tif 000002
【図２】
0005304737.tif 000003
【図３】
0005304737.tif 000004
【図４】
0005304737.tif 000005
【図５】
0005304737.tif 000006
【図６】
0005304737.tif 000007
【図７】
0005304737.tif 000008
【図８】
0005304737.tif 000009
【図９】
0005304737.tif 000010
【図１０】
0005304737.tif 000011
【図１１】
0005304737.tif 000012
【図１２】
0005304737.tif 000013
【図１３】
0005304737.tif 000014